(57)【要約】【課題】所定期間あたりの消費目標量の塩分含有調味液を複数回に分けて消費し切ることを達成容易にする塩分含有調味液用容器を提供する。【解決手段】塩分含有調味液用容器は、保健機能食品である塩分含有調味液用の容器であって、塩分含有調味液を貯留する貯留部と、所定期間あたりの消費目標量の塩分含有調味液を計量可能な計量部と、消費目標量の塩分含有調味液を複数回に分けて消費し切ることを推奨する消費推奨部（例えば、推奨表示２６２、２６３、２６４、２６５により構成される）と、を備える。【選択図】図４
2019111454.tif 000002
【特許請求の範囲】
【請求項１】
保健機能食品である塩分含有調味液用の容器であって、
前記塩分含有調味液を貯留する貯留部と、
所定期間あたりの消費目標量の前記塩分含有調味液を計量可能な計量部と、
前記消費目標量の前記塩分含有調味液を複数回に分けて消費し切ることを推奨する消費推奨部と、
を備える塩分含有調味液用容器。
【請求項２】
前記消費推奨部は、前記所定期間中における前記塩分含有調味液の消費の進行に伴い段階的に変化する報知を行う請求項１に記載の塩分含有調味液用容器。
【請求項３】
前記貯留部は、外層と、前記外層から剥離可能に前記外層の内側に積層されて前記塩分含有調味液を収容する内層と、を備える積層ボトルにより構成されている請求項１又は２に記載の塩分含有調味液用容器。
【請求項４】
前記消費推奨部は、前記消費目標量の前記塩分含有調味液を複数回に分けて消費し切ることを推奨する文字、図形、模様又は記号を含む表示部を有する請求項１から３のいずれか一項に記載の塩分含有調味液用容器。
【請求項５】
前記貯留部から排出された前記塩分含有調味液を貯留するとともに前記計量部を兼ねる第２貯留部を更に備え、
前記消費推奨部は、前記第２貯留部にて計量された前記消費目標量の前記塩分含有調味液を複数回に分けて消費し切ることを推奨する請求項１から４のいずれか一項に記載の塩分含有調味液用容器。
【請求項６】
前記消費推奨部は、前記第２貯留部に形成された発現表示部を有し、
前記塩分含有調味液の内容量が第１量のときには前記塩分含有調味液の液面が前記発現表示部よりも上に位置し、
前記内容量が前記第１量よりも少ない第２量となることにより、前記液面が前記発現表示部の少なくとも一部よりも下の位置となって、前記内容量が前記第１量のときよりも前記発現表示部を視認しやすくなる請求項５に記載の塩分含有調味液用容器。
【請求項７】
予め定められた量の前記塩分含有調味液を操作に応じて前記貯留部から排出させる操作部を備え、
前記消費推奨部は、前記計量部の機能を担っており、前記操作部が所定回数の操作を受け付けた場合に、前記貯留部からの前記塩分含有調味液の排出量を報知する請求項１から４のいずれか一項に記載の塩分含有調味液用容器。
【請求項８】
請求項１から７のいずれか一項に記載の塩分含有調味液用容器と、
前記貯留部に充填された前記塩分含有調味液と、
を備える容器詰め調味液。
【発明の詳細な説明】
【技術分野】
【０００１】
本発明は、塩分含有調味液用容器及び容器詰め調味液に関する。
【背景技術】
【０００２】
特定保健用食品などの保健機能食品においては、所定期間あたりの消費目標量が定められている。
保健機能食品がしょうゆなどの塩分含有調味液である場合は、所定期間あたりの消費目標量を複数回に分けて消費し切ることが好ましい。
【０００３】
例えば、特定保健用食品のしょうゆについて、消費量が分かりやすくなるように、一定量ずつ小袋に入れて販売することが行われている。
特定保健用食品のしょうゆとしては、非特許文献１に記載のものがある。
【０００４】
また、調味液等の計量機能付きの容器としては、例えば、特許文献１〜５に記載されたものがある。
【０００５】
特許文献１の容器は、液体調味料を貯留する第１貯留部と、第１貯留部から排出された液体調味料を貯留する第２貯留部と、第１貯留部の液体調味料を第２貯留部に排出するためのポンプと、を備えており、第２貯留部においては定量の計量が可能となっている。第２貯留部には注ぎ口が形成されており、容器を傾斜させることにより、注ぎ口から液体調味料を注出できるようになっている。第２貯留部の底部には、小孔が形成されており、ポンプの押圧操作を行うことにより、小孔が弁体で閉塞されるようになっている。ポンプの押圧操作が解除されると、弁体による小孔の閉塞状態が解除されて、第２貯留部内の液体調味料が小孔を通して第１貯留部に戻されるようになっている。
【０００６】
特許文献２の容器は、液体調味料を貯留する第１貯留部と、第１貯留部から排出された液体調味料を貯留する第２貯留部と、を備えており、容器を立てた状態で第１貯留部に対して圧搾操作を行うことによって第１貯留部の液体調味料が第２貯留部に排出されるようになっている。第２貯留部においては、液体調味料の計量が可能となっている。容器を逆さまにして第１貯留部に対する圧搾操作を行うことにより、第２貯留部から液体調味料が排出されるようになっている。
【０００７】
特許文献３の容器は、液体調味料を貯留する第１貯留部と、容器を倒立状態とすることにより第１貯留部から排出された液体調味料を貯留する中間貯留部と、容器を直立状態に戻した状態で第１貯留部に対する圧搾操作を行うことによって中間貯留部から排出される液体調味料を貯留する第２貯留部と、を備えている。第２貯留部においては液体調味料の計量が可能となっている。容器を傾斜させることにより、第２貯留部から液体調味料が排出される。
【０００８】
特許文献４、５の容器は、液体調味料を貯留する第１貯留部と、第１貯留部の液体調味料を吸引するスポイト状の第２貯留部と、を備え、第２貯留部においては液体調味料の計量が可能となっている。
【先行技術文献】
【特許文献】
【０００９】
【特許文献１】特開２００４−２６２９２号公報
【特許文献２】特開２０１３−１１９４１０号公報
【特許文献３】特開平９−２５０９号公報
【特許文献４】特開２００７−２２９４１５号公報
【特許文献５】特開２００３−９５３０６号公報
【非特許文献】
【００１０】
【非特許文献１】"まめちから  大豆ペプチドしょうゆ  キッコーマン  ホームページ"、［ｏｎｌｉｎｅ］、キッコーマン株式会社、［平成２７年７月９日検索］、インターネット〈URL：http://www.kikkoman.co.jp/kikkoman/syouyu/mamechikara/〉
【発明の概要】
【発明が解決しようとする課題】
【００１１】
一定量ずつ小袋に入れられた塩分含有調味液を用いる場合は、小袋内に使い残しがあると、残量が分かりづらい。このため、消費目標量まであとどれだけの量の塩分含有調味液を消費すれば良いのかを認識することが困難である。また、小袋内の塩分含有調味液は一度に消費するしかなく、複数回に分けて消費することが困難である。
【００１２】
また、特許文献１の技術では、ポンプの押圧操作が解除されると、弁体による小孔の閉塞状態が解除されて、第２貯留部内の液体調味料が小孔を通して第１貯留部に戻される。このため、ポンプから手を離した後では、第２貯留部内に使い残しの液体調味料を貯留しておくことができない。
したがって、特許文献１の容器は、使用したい分量の液体調味料を使用の都度に第１貯留部から第２貯留部に排出して計量し、第２貯留部に移された液体調味料の全量を一度に第２貯留部から排出して消費することを想定したものである。よって、特許文献１の容器を用いて保健機能食品などの塩分含有調味液を消費する場合には、消費目標量の塩分含有調味液を複数回に分けて消費することが困難である。
【００１３】
同様に、特許文献２〜５の技術についても、単に液体調味液を計量する機能を有する容器に関するものであるとともに、第２貯留部に貯留された液体調味料の全量を一度に第２貯留部から排出することを想定した技術である。
【００１４】
このため、特許文献１〜５の容器を用いて、保健機能食品などの塩分含有調味液を消費する場合にも、消費目標量の塩分含有調味液を複数回に分けて消費し切ることが容易ではない。
【００１５】
本発明は、所定期間あたりの消費目標量の塩分含有調味液を複数回に分けて消費し切ることを達成容易にする塩分含有調味液用容器及び容器詰め調味液に関する。
【課題を解決するための手段】
【００１６】
本発明は、保健機能食品である塩分含有調味液用の容器であって、前記塩分含有調味液を貯留する貯留部と、所定期間あたりの消費目標量の前記塩分含有調味液を計量可能な計量部と、前記消費目標量の前記塩分含有調味液を複数回に分けて消費し切ることを推奨する消費推奨部と、を備える塩分含有調味液用容器を提供するものである。
【００１７】
また、本発明は、本発明の塩分含有調味液用容器と、前記貯留部に充填された前記塩分含有調味液と、を備える容器詰め調味液を提供するものである。
【発明の効果】
【００１８】
本発明によれば、所定期間あたりの消費目標量の塩分含有調味液を複数回に分けて消費し切ることを達成容易にすることができる。
【図面の簡単な説明】
【００１９】
【図１】第１の実施形態に係る塩分含有調味液用容器の正面断面図であり、第１貯留部から第２貯留部に塩分含有調味液を排出する状態を示す。
【図２】第１の実施形態に係る塩分含有調味液用容器の正面断面図であり、外層と内層との層間に空気が流入する状態を示す。
【図３】第１の実施形態に係る塩分含有調味液用容器の正面断面図であり、第２貯留部から塩分含有調味液を排出する状態を示す。
【図４】第１の実施形態に係る塩分含有調味液用容器の第２貯留部を示す正面断面図である。
【図５】第１の実施形態に係る塩分含有調味液用容器の第２貯留部の正面断面図である。
【図６】第１の実施形態に係る塩分含有調味液用容器の第２貯留部の正面断面図である。
【図７】第２の実施形態に係る塩分含有調味液用容器の正面断面図である。
【図８】第２の実施形態に係る塩分含有調味液用容器の正面断面図であり、排出管の一部分の図示を省略している。
【図９】第３の実施形態に係る塩分含有調味液用容器の正面断面図である。
【図１０】図９の部分拡大図である。
【図１１】第３の実施形態に係る塩分含有調味液用容器の正面断面図であり、塩分含有調味液を排出する状態を示す。
【発明を実施するための形態】
【００２０】
以下、本発明の実施形態について、図面を用いて説明する。なお、すべての図面において、同様の構成要素には同一の符号を付し、重複する説明は適宜に省略する。
【００２１】
〔第１の実施形態〕
図１から図６を用いて第１の実施形態を説明する。
本実施形態に係る塩分含有調味液用容器１００は、保健機能食品である塩分含有調味液４０用の容器であって、塩分含有調味液４０を貯留する貯留部（例えば第１貯留部１０）と、所定期間あたりの消費目標量の塩分含有調味液４０を計量可能な計量部（例えば第２貯留部２０）と、消費目標量の塩分含有調味液４０を複数回に分けて消費し切ることを推奨する消費推奨部（例えば、図４に示される推奨表示２６２、２６３、２６４、２６５により構成される）と、を備える。
ここで、塩分含有調味液４０とは、塩分（塩化ナトリウム）を含有する調味用の液であり、例えば、しょうゆ、しょうゆ加工品（つゆ、たれ、ドレッシング、だし入りしょうゆ、ポン酢等）（以上、しょうゆ含有液体調味料）、液状味噌、しょうゆ加工品以外のドレッシング類、ウスターソース類などが該当する。塩分含有調味液は、しょうゆ含有液体調味料であるのが好ましい。しょうゆ含有調味料の食塩含有量は５質量％以上１１質量％以下であるのが好ましく、さらに６質量％以上１０質量％以下、特に７質量％以上９質量％以下であるのが好ましい。しょうゆ含有調味料は通常の同形態の食品より２０％以上減塩しているものが好ましく、さらに３０％以上７０％以下、特に３５％以上６０％以下減塩しているものが好ましい。ここで、減塩しているとは、単位質量当たりの塩化ナトリウムの質量を減らしていることを意味し、例えば、２０％減塩しているとは、単位質量当たりの塩化ナトリウムの質量を、通常の同形態の食品と比べて２０％減らしていることを意味する。しょうゆ含有調味料のカリウム含有量は１質量％以上７質量％以下であるのが好ましく、さらに１．２質量％以上６質量％以下、特に１．３質量％以上５質量％以下、殊更1．５質量％以上３質量％以下であるのが好ましい。しょうゆ含有液体調味料のエタノール含有量は１質量％以上６質量％以下であるのが好ましく、さらに２質量％以上５質量％以下、特に３質量％以上５質量％以下であるのが好ましい。
保健機能食品の塩分含有調味液４０は、特定保健用食品又は機能性表示食品であることが更に好ましく、特定保健用食品であることが更に好ましい。
本実施形態において、消費目標量とは、摂取することが推奨される目安量とすることができ、個々の消費者の年齢、性別、健康状態などに応じて設定される。
本実施形態において、消費者とは、塩分含有調味液４０を消費する者を指す。
また、消費量が消費目標量に達するまでの、塩分含有調味液用容器１００の塩分含有調味液４０の一連の消費は、同一の消費者により行われる。
上記所定期間は、例えば、１日間である。この場合に、塩分含有調味液用容器１００を用いて消費目標量の塩分含有調味液４０を消費することを複数日に亘り連日行うことが好ましい。
計量部は、例えば、消費者による塩分含有調味液４０の消費前に、予め、消費目標量の塩分含有調味液４０を計量するためのものであることが挙げられるが、その例に限らない。例えば、貯留部から塩分含有調味液４０が排出される際に計量を行うものであっても良い。
消費目標量の塩分含有調味液４０を複数回に分けて消費し切ることを推奨するということは、例えば、消費目標量の塩分含有調味液４０を複数回に分けて消費したいという意欲（モチベーション）を消費者に抱かせることを意味する。
ただし、消費目標量の塩分含有調味液４０を複数回に分けて消費し切ることを推奨することは、消費目標量の塩分含有調味液４０を複数回に分けて消費したときに消費者に報償を与えることであっても良い。なぜなら、消費目標量の塩分含有調味液４０を複数回に分けて消費し切ったときに報償が与えられることを知っていれば、消費者は、次回の一連の消費時には、消費目標量の塩分含有調味液４０を複数回に分けて消費したいという意欲を抱くことができるためである。
【００２２】
消費推奨部は、所定期間中における塩分含有調味液４０の消費の進行に伴い段階的に変化する報知を行うことが好ましい。これにより、消費者は、報知の段階が進行することを節目として消費を一旦停止しながら、段階的に塩分含有調味液４０の消費を行う、という消費行動を容易に実行することができる。
【００２３】
図１〜図３に示すように、塩分含有調味液用容器１００は、塩分含有調味液４０を貯留する第１貯留部１０と、第１貯留部１０から排出された塩分含有調味液４０を貯留する第２貯留部２０と、を備えている。
第１貯留部１０の内部には塩分含有調味液４０を貯留する第１貯留領域１０ａが形成され、第２貯留部２０の内部には塩分含有調味液４０を貯留する第２貯留領域２０ａが形成されている。
【００２４】
本実施形態の場合、塩分含有調味液用容器１００の第１貯留部１０は、いわゆるデラミ（デラミネーション）ボトルと呼ばれるボトル容器（積層ボトル）である。
第１貯留部１０は、積層体６０と、積層体６０の上端部に形成されている口頸部１５に装着されているキャップ部７０と、を備えている。
積層体６０は、外層６１と、外層６１から剥離可能に外層６１の内側に積層されて塩分含有調味液４０を収容する内層６２と、を備えている。
すなわち、第１貯留部１０は、外層６１と内層６２とを備える積層ボトルにより構成されている。
【００２５】
積層体６０は、外層６１と内層６２との二重筒構造となっている。ただし、積層体６０は、３層以上の層構造に形成されていても良い。
積層体６０は、第１貯留部１０の胴体部１１と、口頸部１５と、口頸部１５と胴体部１１とを繋ぐ肩部１２と、底部１３と、を形成している。
積層体６０は、底部１３を水平な載置面上に載置することにより、当該載置面上において自立可能な形状に形成されている。
積層体６０は、例えば、二重筒構造のパリソンをブロー成形することにより構成されている。
外層６１及び内層６２の材料は特に限定されないが、それぞれ樹脂により構成されていることが好ましい。一例として、外層６１はポリプロピレンとすることができ、内層６２はナイロンとすることができる。
外層６１は、内層６２よりも高剛性に形成されており、内層６２よりも保形性に優れている。
【００２６】
例えば、内層６２は、口頸部１５の上端部に環状に形成された接合部において、口頸部１５の全周に亘り外層６１に対して気密に接合（例えば接着層を介して接着、又は、熱融着）されている。
更に、内層６２と外層６１とは、図１の紙面の手前側及び奥側において、上下に延在する接合部（不図示）において、相互に接合（例えば接着層を介して接着、又は、熱融着）されている。
外層６１において口頸部１５を構成する部分の外面には、ねじ山が形成されており、口頸部１５が雄ねじ形状となっている。
【００２７】
更に、積層体６０は、底部１３に形成されたピンチオフ部６４を有している。
ピンチオフ部６４は、パリソンの端部において外層６１、内層６２、内層６２及び外層６１の４層が互いに重なるように、図示しない金型の挟持部によって挟み込んだ状態で、ブロー成形を行うことにより形成された、直線状のリブ状の部分であり、積層体６０の外方（図１において下方）に向けて突出している。
ここで、内層６２内の塩分含有調味液４０の容量が減少すると、第１貯留部１０の外部の空気が外層６１と内層６２との層間の空隙６３に流入するが、本実施形態の場合、空気は第１貯留部１０の上端部から流入するようになっている（後述）。
このため、ピンチオフ部６４は気密に密閉されている。すなわち、ピンチオフ部６４において、内層６２どうしが相互に気密に接合されているとともに、図１のピンチオフ部６４において左側に位置する外層６１と内層６２とが相互に気密に接合され、且つ、図１のピンチオフ部６４において右側に位置する外層６１と内層６２とが相互に気密に接合されている。
【００２８】
キャップ部７０は、筒状の本体部７１と、本体部７１の上端部に形成されていて本体部７１よりも内径が小さい環状の小径部７２と、本体部７１の下端部外周に形成されている係合爪部７３と、を備えている。
本体部７１の内周面にはねじ山が形成されており、本体部７１は雌ねじ形状となっている。
キャップ部７０は、本体部７１が口頸部１５と螺合することによって、口頸部１５に装着されている。
【００２９】
第１貯留部１０は、更に、弁体保持部材８１と、弁体保持部材８１に設けられた吐出弁８２及び吸入弁８３と、吐出弁８２及び吸入弁８３を弁体保持部材８１との協働で保持しているとともに吐出口を形成している吐出口部材８４と、を備えている。
図１〜図３には、吐出弁８２と吸入弁８３とが共通の部材の一部分ずつにより構成されている例を示しているが、吐出弁８２と吸入弁８３とは互いに別部材により構成されていても良い。
弁体保持部材８１には、内層６２の内部の塩分含有調味液４０を吐出するための開口が形成されている。
吐出弁８２、吸入弁８３及び弁体保持部材８１は、キャップ部７０の小径部７２と積層体６０の上端部（例えば内層６２の上端）との間に挟持されている。
吸入弁８３は、通常時においては、小径部７２の全周に対して気密に密着している。ここで、吐出口部材８４の外周面と小径部７２の内周面との間には、外層６１と本体部７１との間隙に外気を流入させるための空気流入孔８５が形成されているが、この空気流入孔８５は、通常時においては、吸入弁８３によって気密に密閉されている。
吐出弁８２及び吸入弁８３は、弁体保持部材８１の開口の周囲の全周に亘り、弁体保持部材８１に対して気密に密着している。
弁体保持部材８１は、内層６２の上端面の全周に対して気密に密着している。
また、通常時においては、弁体保持部材８１の開口は吐出弁８２により気密に密閉されている。
これにより、通常時においては、内層６２の内部空間は気密に密閉されることとなる。
また、吐出口部材８４は、吐出弁８２及び吸入弁８３に固定されているか、又は、弁体保持部材８１に固定されており、吐出口部材８４内の吐出口は弁体保持部材８１の開口の上方に位置している。
吐出口部材８４の上端部は、外周囲に向けて拡がったひさし部８７となっている。ひさし部８７は、空気流入孔８５の上方を覆っており、好ましくは、空気流入孔８５よりも口頸部１５の径方向における外方まで拡がっている。ただし、ひさし部８７は、小径部７２よりも上方に位置しており、ひさし部８７と小径部７２との間隙は、外気を空気流入孔８５に導入させるための経路を構成している。
ひさし部８７の上面は、外周囲に向けて下り傾斜している。このため、吐出口部材８４の吐出口から吐出された塩分含有調味液４０は、ひさし部８７上で外周囲に向けて誘導された後、ひさし部８７の外周端から流下する。よって、塩分含有調味液４０が空気流入孔８５に浸入することを抑制できる。
外層６１において口頸部１５を構成する部分には、外層６１と本体部７１との間隙から、外層６１と内層６２との空隙６３へと空気を流入させるための空気流入孔８６が形成されている。なお、空気流入孔８６は、口頸部１５における外層６１と内層６２との接合部（上記のように環状に形成された接合部）よりも下方に位置している。
【００３０】
内層６２の内部領域、すなわち第１貯留領域１０ａの実質的に全域には、塩分含有調味液４０が充填されている。
第１貯留部１０が圧搾されることによって、外層６１及び内層６２が第１貯留部１０の内側に向けて弾性変形し、内層６２の内圧が高まった場合には、図１に示すように、内層６２内の塩分含有調味液４０により吐出弁８２が上方に押されて弾性変形することによって弁体保持部材８１の開口が開き、当該開口及び吐出口部材８４の吐出口を介して、内層６２内の塩分含有調味液４０が外部に吐出される。
【００３１】
その後、第１貯留部１０を圧搾する力が解除されると、吐出弁８２が弾性復帰して、吐出弁８２によって弁体保持部材８１の開口が気密に密閉される。
また、第１貯留部１０を圧搾する力が解除されると、外層６１が元の形状に弾性復帰しようとするため、外層６１と内層６２との間の空隙６３が陰圧となる。
すると、吸入弁８３が下方に弾性変形することにより小径部７２から離間することで、空気流入孔８５が開き、外気が、空気流入孔８５、本体部７１と外層６１との間隙、及び空気流入孔８６をこの順に通して、外層６１と内層６２との空隙６３に流入する。
外層６１は、このように空隙６３に外気が流入するのに伴い、徐々に元の形状に弾性復帰する。
なお、内層６２内には外気が実質的に流入しない。このため、内層６２の内部領域の体積は、第１貯留領域１０ａから塩分含有調味液４０が排出されるのに伴い徐々に縮小していくこととなる。その一方で、外層６１と内層６２との層間の空隙６３は、第１貯留領域１０ａから塩分含有調味液４０が排出されるのに伴い拡大する。
【００３２】
本実施形態の場合、第２貯留部２０は、第２貯留領域２０ａを形成する本体部１２０と、ヒンジ部１４０を介して本体部１２０に連結されていて本体部１２０の上端開口を閉じることが可能な蓋部１３０と、を備えている。
【００３３】
本体部１２０は、可視光透過性の材料により構成されていることが好ましい。ただし、本体部１２０は、遮光性の材料により構成されていても良い。
本体部１２０は、例えば、筒状に形成されている筒状部１２１と、筒状部１２１の下端に連接されていて内周側に延びている底部１２２と、底部１２２の内周端から下方に垂下している環状の係合突起部１２３と、を備えている。
【００３４】
係合突起部１２３は、キャップ部７０の係合爪部７３に対して係合しているとともに液密に接合されている。これにより、本体部１２０ひいては第２貯留部２０の全体が、キャップ部７０を介して第１貯留部１０に固定されている。
筒状部１２１の内径は、本体部７１の外径よりも大きく、第２貯留領域２０ａは、底部１２２の上側、且つ、本体部７１の外周面と筒状部１２１の内周面との間に形成されている。
【００３５】
図４は、第２貯留部２０の本体部１２０の一部分（下部）を拡大して示す正面断面図である。なお、実際には、本体部１２０はキャップ部７０に対して固定されているが、図４では、本体部１２０以外の構成の図示を省略している。
【００３６】
本実施形態の場合、第２貯留部２０は、第１貯留部１０から排出された塩分含有調味液４０を貯留するとともに計量部を兼ねる。
そして、消費推奨部は、第２貯留部２０にて計量された消費目標量の塩分含有調味液４０を複数回に分けて消費し切ることを推奨する。
【００３７】
第２貯留部２０には、第１貯留部１０から第２貯留部２０へ消費目標量の塩分含有調味液４０を排出する際の計量の目安となる目盛り２５１と、第２貯留部２０に貯留されている消費目標量の塩分含有調味液４０を複数回に分けて消費する際の計量の目安となる目盛り２５２、２５３と、が形成されている。目盛り２５１、目盛り２５２及び目盛り２５３は、この順で上から配置されている。
これら目盛りは、第２貯留部２０の内面又は外面（例えば筒状部１２１の内面又は外面）の少なくとも一方に形成されている。なお、本体部１２０が遮光性の材料により構成されている場合は、筒状部１２１の少なくとも内面に目盛りが形成されている。
目盛り２５１、目盛り２５２及び目盛り２５３は、例えば、直線状の印（刻設された印、又は、印刷形成された印など）である。
目盛り２５１、目盛り２５２及び目盛り２５３の各々は、第１貯留部１０が水平な載置面上で自立した状態では、それぞれ水平に延在するようになっている。
なお、目盛り２５１は、空気流入孔８５よりも下方に配置されている。
【００３８】
３つの目盛りのうち、最小の計量目安となる目盛り２５３により計量される量は、３つの目盛りのうち、互いに隣り合ういずれの組み合わせの目盛り間の差分量よりも多い。
塩分含有調味液４０を目盛り２５３まで貯留した状態での塩分含有調味液４０の液量を第１液量とする。
塩分含有調味液４０を目盛り２５１まで貯留した状態での塩分含有調味液４０の液量と、塩分含有調味液４０を目盛り２５２まで貯留した状態での塩分含有調味液４０の液量との差分量を第２液量とする。
塩分含有調味液４０を目盛り２５２まで貯留した状態での塩分含有調味液４０の液量と、塩分含有調味液４０を目盛り２５３まで貯留した状態での塩分含有調味液４０の液量との差分量を第３液量とする。
すると、第１液量は、第２液量よりも多く、且つ、第３液量よりも多い。
【００３９】
更に、３つの目盛りのうち、最小の計量目安となる目盛り２５３により計量される量は、当該目盛り２５３と目盛り２５１との間の差分量よりも多いことが好ましい。
すなわち、上記第１液量は、上記第２液量と上記第３液量との合計量よりも多いことが好ましい。
【００４０】
本実施形態の場合、目盛り２５１は、１日間で消費する分の消費目標量の塩分含有調味液４０を計量する際の目安となる。
また、目盛り２５２は、例えば、朝食で消費する分の塩分含有調味液４０を計量する際の目安となる。
また、目盛り２５３は、例えば、昼食で消費する分の塩分含有調味液４０を計量する際の目安となる。
【００４１】
したがって、例えば、朝食前に目盛り２５１を目安として１日間で消費する分の塩分含有調味液４０を計量し、朝食では上記第２液量の塩分含有調味液４０を消費し、昼食では上記第３液量の塩分含有調味液４０を消費し、夕食では上記第１液量の塩分含有調味液４０を消費するといった塩分含有調味液４０の消費方法を実行することができる。
また、あとどれだけの量の塩分含有調味液４０を消費すれば消費目標量に達するのかを、随時、容易に認識することができる。
ただし、一日２食とする場合などにおいては、例えば、一日の最初の食事で上記第２液量と上記第３液量との合計量の塩分含有調味液４０を消費し、夕食で上記第１液量の塩分含有調味液４０を消費するといった塩分含有調味液４０の消費方法を実行することができる。
【００４２】
ただし、各目盛りのうち互いに隣り合う目盛り間の差分量は、互いに等しく、且つ、最小の計量目安となる目盛りにより計量される量とも等しくても良い。すなわち、朝食、昼食及び夕食のそれぞれにおいて塩分含有調味液４０を等量ずつ消費することを容易になし得るように、各目盛の位置が設定されていても良い。
【００４３】
ここで、第２貯留部２０には、計量用表示２６１と、推奨表示２６２、２６３、２６４、２６５と、が形成されている。
これら計量用表示２６１、推奨表示２６２、２６３、２６４、２６５は、メッセージ（文字、数字など）、図形又は記号を含む表示部であり、第２貯留部２０の内面又は外面（例えば筒状部１２１の内面又は外面）の少なくとも一方に形成されている。
このうち、計量用表示２６１は、目盛り２５１が１日分の消費目標量の塩分含有調味液４０を計量する際の目安である旨を示すものであり、例えば、目盛り２５１の上側近傍に配置されている。計量用表示２６１は、例えば、「１日分」との文字と、目盛り２５１を指し示す矢印と、を含んでいる。
また、推奨表示２６２は、塩分含有調味液４０を目盛り２５２の位置まで消費することによって、朝食分として適正な量の塩分含有調味液４０を消費しきった旨が分かるようにするためのものであり、例えば、「朝食分達成！」との文字を含んでおり、目盛り２５２の上側近傍に配置されている。
また、推奨表示２６３は、塩分含有調味液４０を目盛り２５３の位置まで消費することによって、昼食分（或いは昼食までの分）として適正な量の塩分含有調味液４０を消費しきった旨が分かるようにするためのものであり、例えば、「昼食分達成！」との文字を含んでおり、目盛り２５３の上側近傍に配置されている。
また、推奨表示２６４は、あと少しで１日分の消費目標量の塩分含有調味液４０を消費し切ることができる旨が分かるようにするためのものであり、例えば、「あと一息！」との文字を含んでおり、推奨表示２６５の上側近傍に配置されている。
また、推奨表示２６５は、１日分の消費目標量の塩分含有調味液４０を消費しきった旨が分かるようにするとともに、翌日も同様に塩分含有調味液４０を消費することを推奨するものであり、例えば、「一日分達成！  明日もこの調子！」との文字を含んでおり、第２貯留領域２０ａの下端部に配置されている。
【００４４】
これら推奨表示２６２、２６３、２６４、２６５は、消費推奨部を構成するものであり、第２貯留部２０にて計量された消費目標量の塩分含有調味液４０を複数回に分けて消費し切ることを推奨している（詳細後述）。
本実施形態の場合、推奨表示２６２、２６３、２６４、２６５の各々文字を含む。ただし、推奨表示は、必ずしも文字を含んでいなくても良く、例えば、図形、模様又は記号を含むものであっても良い。
すなわち、消費推奨部は、消費目標量の塩分含有調味液４０を複数回に分けて消費し切ることを推奨する文字、図形、模様又は記号を含む表示部（推奨表示２６２、２６３、２６４）を有する。
【００４５】
ここで、推奨表示２６２、２６３、２６４、２６５は、第２貯留部２０内の塩分含有調味液４０の液面が、推奨表示２６２、２６３、２６４、２６５の各々よりも上に位置するときよりも、当該液面が推奨表示２６２、２６３、２６４、２６５の各々の少なくとも一部よりも下の位置にあるときの方が、視認しやすい。
すなわち、しょうゆ等の塩分含有調味液４０は、黒に近い有色のものであることが多く、その場合は、塩分含有調味液４０に隠れているときには、推奨表示２６２、２６３、２６４、２６５を視認しづらく、塩分含有調味液４０から露出することによって推奨表示２６２、２６３、２６４、２６５を視認しやすくなる。
このように、消費推奨部は、第２貯留部２０に形成された発現表示部（推奨表示２６２、２６３、２６４、２６５）を有し、第２貯留部２０における塩分含有調味液４０の内容量が第１量のときには塩分含有調味液４０の液面が発現表示部よりも上に位置し、内容量が第１量よりも少ない第２量となることにより、液面が発現表示部の少なくとも一部よりも下の位置となって、内容量が第１量のときよりも発現表示部を視認しやすくなるようになっている。
【００４６】
また、筒状部１２１の上端部には、第２貯留部２０に貯留された塩分含有調味液４０を注出するための注出口部１２４が形成されている。ここで、注出口部１２４は、蓋部１３０によって本体部１２０の上端開口が閉じられた状態でも完全には閉塞されず、注出口部１２４を介して第２貯留部２０の内外で空気が流通可能となっていることが好ましい。このようにすることにより、蓋部１３０で本体部１２０の上端開口を閉じた状態で第１貯留部１０から第２貯留部２０へ塩分含有調味液４０を排出する際に、第２貯留部２０内の空気が注出口部１２４を介して第２貯留部２０の外部に排気できる。また、第１貯留部１０から第２貯留部２０への塩分含有調味液４０の排出後に、空隙６３に外気が流入する際に、注出口部１２４を介して第２貯留部２０の外部の空気を第２貯留部２０内に取り込むことができる。
また、筒状部１２１において注出口部１２４の下側に隣接する部分は、それ以外の部分よりも外側方に突出した突出部１２５となっている。これにより、第２貯留部２０内の塩分含有調味液４０を、注出口部１２４を介してより注出しやすく、且つ、注出口部１２４からの液だれを抑制できるようになっている。
蓋部１３０は、本体部１２０の上端開口を覆う盤状の盤状部１３１と、盤状部１３１の一方の面に形成された環状の突起である係合突起部１３２と、を備えている。
図１に示すように蓋部１３０によって本体部１２０の上端開口を閉じた状態では、係合突起部１３２が筒状部１２１の上端部に嵌入するようになっている。
なお、蓋部１３０、本体部１２０及びヒンジ部１４０は、樹脂材料により一体形成されていることが好ましい。
第２貯留部２０からの塩分含有調味液４０の注出は、図３に示すように塩分含有調味液用容器１００の全体を傾けることによって行うことができる。
【００４７】
上述した塩分含有調味液用容器１００は、予め第１貯留部１０に塩分含有調味液４０が充填された状態の容器詰め調味液の形態で市場に流通させることができる。
すなわち、本実施形態に係る容器詰め調味液は、塩分含有調味液用容器１００と、貯留部（例えば第１貯留部１０）に充填された塩分含有調味液４０と、を備える。
容器詰め調味液は、例えば、初期状態で１ヶ月分（３０日分など）の消費目安量の塩分含有調味液４０が第１貯留部１０の第１貯留領域１０ａに貯留されている構成とすることができる。なお、図１から図３では、第１貯留部１０と第２貯留部２０との寸法比は必ずしも正確ではない。
【００４８】
次に、上述した塩分含有調味液用容器１００を用いて行う塩分含有調味液の消費方法の一例を説明する。
【００４９】
先ず、塩分含有調味液用容器１００を準備し、第１貯留部１０がテーブル等の載置面上で自立する状態で、塩分含有調味液用容器１００を当該載置面上に載置する（図１参照）。
【００５０】
次に、朝食前に、図１に示すように、第１貯留部１０を載置面上で自立させた状態で第１貯留部１０に対して圧搾操作を行うことよって、第１貯留部１０から第２貯留部２０へ塩分含有調味液４０を排出し、目盛り２５１を目安として塩分含有調味液４０を計量する。これにより、１日分の消費目標量の塩分含有調味液４０を第２貯留部２０の第２貯留領域２０ａに貯留することができる（図５（ａ）参照）。
【００５１】
次に、朝食時には、朝食として食べる食品の上や、朝食で使用する皿の上に、所望の量の塩分含有調味液４０を第２貯留部２０から注出することを１回又は複数回行い、注出された塩分含有調味液４０を消費しながら朝食を食べる。
ここで、朝食で消費する塩分含有調味液４０の総量は、例えば、上記第２液量となるようにする。すなわち、朝食を終えた段階で第２貯留部２０に残留する塩分含有調味液４０の液面が、目盛り２５２と一致するように、塩分含有調味液４０を消費する（図５（ｂ）参照）。
なお、塩分含有調味液４０を少量消費すれば、「朝食分達成！」との文字の上半分などが見えてくることにより、消費者は「朝食分達成！」との文字の全体が現れるまで塩分含有調味液４０を消費しようというモチベーションを抱くことができる。すなわち、推奨表示２６２は、「朝食分達成！」との文字の全体が現れるまで塩分含有調味液４０を消費することを推奨するものであると言える。
そして、「朝食分達成！」との文字の全体が現れるまで塩分含有調味液４０を消費することにより、消費者は、達成感を得ることができる。
【００５２】
次に、昼食時には、昼食として食べる食品の上や、昼食で使用する皿の上に、所望の量の塩分含有調味液４０を第２貯留部２０から注出することを１回又は複数回行い、注出された塩分含有調味液４０を消費しながら昼食を食べる。
ここで、昼食で消費する塩分含有調味液４０の総量は、例えば、上記第３液量となるようにする。すなわち、昼食を終えた段階で第２貯留部２０に残留する塩分含有調味液４０の液面が、目盛り２５３と一致するように、塩分含有調味液４０を消費する（図５（ｃ）参照）。
なお、朝食分の達成後、昼食時に塩分含有調味液４０を少量消費すれば、「昼食分達成！」との文字の上半分などが見えてくることにより、消費者は「昼食分達成！」との文字の全体が現れるまで塩分含有調味液４０を消費しようというモチベーションを抱くことができる。すなわち、推奨表示２６３は、「昼食分達成！」との文字の全体が現れるまで塩分含有調味液４０を消費することを推奨するものであると言える。
そして、「昼食分達成！」との文字の全体が現れるまで塩分含有調味液４０を消費することにより、消費者は、達成感を得ることができる。
【００５３】
次に、夕食時には、夕食として食べる食品の上や、夕食で使用する皿の上に、所望の量の塩分含有調味液４０を第２貯留部２０から注出することを１回又は複数回行い、注出された塩分含有調味液４０を消費しながら夕食を食べる。
ここで、夕食で消費する塩分含有調味液４０の総量は、例えば、上記第１液量となるようにする。すなわち、夕食を終えた段階で第２貯留部２０内の塩分含有調味液４０が空となるように、塩分含有調味液４０を消費する（図６（ｂ））。
なお、昼食分の達成後、夕食時に塩分含有調味液４０を少量消費すれば、「あと一息！」との文字の上半分などが見えてくることにより、消費者は「あと一息！」との文字の全体が現れるまで塩分含有調味液４０を消費しようというモチベーションを抱くことができる。すなわち、推奨表示２６４は、「あと一息！」との文字の全体が現れるまで塩分含有調味液４０を消費することを推奨するものであると言える。図６（ａ）は「あと一息！」との文字の全体が現れるまで塩分含有調味液４０を消費した状態を示す。その後、更に塩分含有調味液４０を少量消費すれば、「一日分達成！」との文字の上半分などが見えてくることにより、消費者は「一日分達成！」との文字の全体が現れるまで塩分含有調味液４０を消費しようというモチベーションを抱くことができる。すなわち、推奨表示２６５は、「一日分達成！」との文字の全体が現れるまで塩分含有調味液４０を消費することを推奨するものであると言える。
そして、「一日分達成！」との文字の全体が現れるまで塩分含有調味液４０を消費することにより、消費者は、達成感を得ることができる。
【００５４】
このように、推奨表示２６２、２６３、２６４、２６５は、１日における塩分含有調味液４０の消費の進行に伴い段階的に変化する報知を行う。すなわち、消費推奨部は、所定期間中における塩分含有調味液４０の消費の進行に伴い段階的に変化する報知を行う。
例えば、複数種類の報知要素である推奨表示２６２、２６３、２６４、２６５が段階的に発現することによって、そのような報知を実現することができる。
【００５５】
以上により、１日の食事のなかで、同一の消費者が、１日あたりの消費目標量の塩分含有調味液４０を複数回に分けて消費し切ることを容易に達成することができる。
【００５６】
以上のような第１の実施形態によれば、塩分含有調味液用容器１００は、消費目標量の塩分含有調味液４０を複数回（例えば朝、昼、夜の３回）に分けて消費し切ることを推奨する消費推奨部を備えている。
よって、消費者は、所定期間あたりの消費目標量の塩分含有調味液４０を複数回に分けて消費し切ることを容易に達成できる。
【００５７】
また、塩分含有調味液用容器１００の第１貯留部１０はデラミネーションボトルであり、第１貯留領域１０ａ内の塩分含有調味液４０と外気との接触を抑制できるため、塩分含有調味液４０の鮮度を良好に維持することができる。
【００５８】
なお、上記の第１の実施形態は一例であり、推奨表示２６２、２６３、２６４、２６５は、図形、模様又は記号を含むものであっても良い。推奨表示２６２、２６３、２６４、２６５が、文字を含まない図形、模様又は記号であっても、消費者は、それら推奨表示２６２、２６３、２６４、２６５の一部分が見えてくることにより、それらの各々について、全体が見えるまで塩分含有調味液４０を消費しようというモチベーションを抱くことができ、又、全体が見えることにより達成感を抱くことができる。なお、推奨表示は、同じ形状の図形、模様又は記号の色が段階的に変化するようなものであっても良い。
【００５９】
また、消費推奨部は、消費目標量の塩分含有調味液４０を複数回に分けて消費し切ることを推奨するものであれば良く、例えば、第１貯留部１０の外面などに設けられた文字、図形、模様又は記号であっても良い。消費推奨部は、第１貯留部１０に印刷形成されていても良いし、文字、図形、模様又は記号が印刷形成されたラベルが第１貯留部１０に貼り付けられることにより設けられていても良い。
【００６０】
また、第１の実施形態において、第２貯留部２０の第２貯留領域２０ａから塩分含有調味液４０を吐出する部分の構造、並びに、外層６１と内層６２との層間の空隙６３に外気を導入する部分の構造は、上記の例に限らず、その他の一般的なデラミネーションボトルのいずれの構造も適用できる。
例えば、空隙６３への外気の導入は、ピンチオフ部６４における外層６１と内層６２との間隙を介してなされるようになっていても良い。
【００６１】
〔第２の実施形態〕
次に、図７及び図８を用いて第２の実施形態を説明する。
本実施形態に係る塩分含有調味液用容器１００は、以下に説明する点で、上記の第１の実施形態に係る塩分含有調味液用容器１００と相違しており、その他の点では、上記の第１の実施形態に係る塩分含有調味液用容器１００と同様に構成されている。
【００６２】
本実施形態に係る塩分含有調味液用容器１００は、中空の第１貯留部１０と、第１貯留部１０の上側に固定された第２貯留部２０と、第１貯留部１０の内部の第１貯留領域１０ａから第２貯留部２０の内部の第２貯留領域２０ａへ塩分含有調味液４０を排出するための排出管３０と、を備えている。
【００６３】
第１貯留部１０は、例えば、筒形状の胴体部１１と、胴体部１１の上端に連接されていて内周側に延びている下肩部１２ａと、下肩部１２ａの内周端から上側に連接されているとともに上部に上肩部１２ｂを有する係合突起部１４と、胴体部１１の下端部を閉塞している底部１３と、を備えている。
第１貯留部１０、第２貯留部２０及び排出管３０の材料は特に限定されないが、それぞれ合成樹脂により構成されていることが好ましい。
第１貯留部１０は、圧搾操作により弾性変形する材料により構成されている。
また、第２貯留部２０は、可視光透過性の材料により構成されていることが好ましい。ただし、第２貯留部２０は、遮光性の材料により構成されていても良い。
上肩部１２ｂの中央部には、排出管３０を挿通させる挿通孔が形成されている。
排出管３０は、上肩部１２ｂの挿通孔に挿通されて、上肩部１２ｂを上下に貫通している。
排出管３０において、上肩部１２ｂよりも上側の部分は第１部分３１であり、上肩部１２ｂよりも下側の部分は第２部分３２である。第２部分３２の下端部、すなわち排出管３０の下端部は、第１貯留部１０の底部１３の近傍に位置している。
第１貯留部１０は、底部１３がテーブル（不図示）の上面などの載置面に接地する状態で、自立可能となっている。
【００６４】
本実施形態の場合、本体部１２０は、底部１２２及び係合突起部１２３を有していない。
第１貯留部１０の係合突起部１４が、本体部１２０の筒状部１２１の下端部に嵌入しているとともに全周に亘り液密に固定されている。これにより、筒状部１２１の内周面と、第１部分３１の外周面と、上肩部１２ｂの上面とにより画定される領域に塩分含有調味液４０を貯留可能となっている。
【００６５】
第１貯留部１０、第２貯留部２０及び排出管３０の材料は特に限定されないが、それぞれ合成樹脂により構成されていることが好ましい。
本実施形態の場合、第１貯留部１０は、圧搾操作により弾性変形する材料により構成されている。
また、第２貯留部２０は、可視光透過性の材料により構成されていることが好ましい。ただし、第２貯留部２０は、遮光性の材料により構成されていても良い。
また、第１貯留部１０は、可視光透過性の材料により構成されている。
【００６６】
第１貯留部１０に対する操作によって、第１貯留部１０から第２貯留部２０へ消費目標量の塩分含有調味液４０を排出可能である。この操作は、例えば、第１貯留部１０を水平方向両側から押し縮める圧搾操作である。すなわち、第１貯留部１０を圧搾することにより第１貯留領域１０ａ内の圧力が上昇すると、第１貯留部１０の第１貯留領域１０ａ内の塩分含有調味液４０が排出管３０を通して押し上げられて排出管３０の上端の開口から流出し、第２貯留部２０の第２貯留領域２０ａに流入する。
ここで、排出管３０の上端面３０ａは、例えば、円錐台の側周面の形状に形成されている。したがって、排出管３０の上端の開口から流出する塩分含有調味液４０が上端面３０ａ上に滞留することが抑制され、塩分含有調味液４０が上端面３０ａに沿ってスムーズに流下するようになっている。
【００６７】
本実施形態の場合も、第２貯留部２０には、上記の第１の実施形態と同様に計量用表示２６１、推奨表示２６２、２６３、２６４、２６５、目盛り２５１、２５２、２５３が形成されている。
このため、本実施形態の場合も、塩分含有調味液用容器１００を用いて塩分含有調味液４０を消費する方法は、第１の実施形態と同様である。
【００６８】
本実施形態の場合も、容器詰め調味液は、例えば、初期状態で１ヶ月分の消費目標量の塩分含有調味液４０が第１貯留部１０の第１貯留領域１０ａに貯留されている構成とすることができる。なお、図７及び図８に示される第１貯留部１０と第２貯留部２０との寸法比は必ずしも正確ではない。
【００６９】
本実施形態の場合、第１貯留部１０の内面には、塩分含有調味液４０の消費の仕方を示す表示２７１と、１ヶ月の中での塩分含有調味液４０の消費量の目安を示す表示２８０と、が形成されている。
表示２７１は、例えば、「毎日一定量を消費しましょう」との文字を含んでいる。このため、表示２７１は、塩分含有調味液４０を毎日一定量消費することを推奨している。
表示２８０は、例えば、初期状態から５日分、１０日分、１５日分、２０日分及び２５日分の塩分含有調味液４０を消費したときの塩分含有調味液４０の液面とそれぞれ一致する目盛り２８１、２８２、２８３、２８４、２８５と、各目盛り２８１、２８２、２８３、２８４、２８５が何日分に相当する消費を行ったときの液面と対応するのかをそれぞれ示す表示２９１、２９２、２９３、２９４、２９５と、を含んでいる。
このため、本実施形態によれば、消費者は、順調に塩分含有調味液４０を消費できているかどうかや、あとどれだけの塩分含有調味液４０を消費すれば１ヶ月分の塩分含有調味液４０を消費し切れるのかを容易に認識できる。
【００７０】
更に、第１貯留部１０の内面には、１ヶ月分の塩分含有調味液４０を最後まで消費し切ることを推奨する表示２９６が形成されている。表示２７１は、例えば、目盛り２８５よりも下方に配置されており、「あと少し！」との文字を含んでいる。このため、消費者は、表示２７１が見えてくることにより、あと少しで１ヶ月分の塩分含有調味液４０の消費を達成できることを認識でき、１ヶ月分の塩分含有調味液４０を最後まで消費しようというモチベーションを抱くことができる。
【００７１】
なお、上記の第２の実施形態は一例であり、消費推奨部は、消費目標量の塩分含有調味液４０を複数回に分けて消費し切ることを推奨するものであれば良く、例えば、第１貯留部１０の外面などに、印刷形成又はラベルなどにより設けられた文字、図形、模様又は記号であっても良い。
【００７２】
〔第３の実施形態〕
次に、図９から図１１を用いて第３の実施形態を説明する。
本実施形態に係る塩分含有調味液用容器１００は、以下に説明する点で、上記の第１の実施形態に係る塩分含有調味液用容器１００と相違しており、その他の点では、上記の第１の実施形態に係る塩分含有調味液用容器１００と同様である。
【００７３】
本実施形態の場合、塩分含有調味液用容器１００は、１回の排出操作毎に予め定められた量ずつ（例えば一定量ずつ）塩分含有調味液４０を排出するように構成されている。したがって、操作を受け付けた回数に基づいて塩分含有調味液４０の排出量を計量することが可能である。
本実施形態の場合、塩分含有調味液用容器１００は、第１貯留部１０及び第２貯留部２０の２つの貯留部を有してはおらず、キャップ部１６０により閉塞される本体部１５０の内部に１つの貯留領域１０１を有している。
すなわち、塩分含有調味液用容器１００は、予め定められた量の塩分含有調味液４０を操作に応じて貯留部（例えば本体部１５０及びキャップ部１６０により構成される）から排出させる操作部（例えば押圧操作部１８２）を備えている。
そして、消費推奨部は、計量部の機能を担っており、操作部が所定回数の操作を受け付けた場合に、貯留部からの塩分含有調味液４０の排出量を報知する。
以下、詳細に説明する。
【００７４】
塩分含有調味液用容器１００は、塩分含有調味液４０を貯留する貯留領域１０１を内部に有する本体部１５０と、本体部１５０に対して着脱可能に装着されたキャップ部１６０と、を備えている。
本体部１５０は、筒形状の胴体部１５１と、胴体部１５１の下端部を閉塞している底部１５２と、胴体部１５１の上方に突出している筒状のキャップ装着部１５３と、を備えている。
【００７５】
キャップ部１６０は、キャップ装着部１５３に対して着脱可能なキャップ本体１７０と、それぞれキャップ本体１７０に設けられている排出操作部材１８０、排出管１９０、推奨報知装置、リセットボタン２２０及びバネ２３０（図１０）と、を備えている。
【００７６】
キャップ本体１７０は、筒形状の筒状部１７１と、筒状部１７１の上端に連接されている天面部１７２と、を備えている。
筒状部１７１の下端部の内周面にはねじ山が形成されており、筒状部１７１は雌ねじ形状をなしている。一方、キャップ装着部１５３の外周面にもねじ山が形成されており、キャップ装着部１５３は雄ねじ形状をなしている。筒状部１７１とキャップ装着部１５３とが螺合することによって、キャップ本体１７０ひいてはキャップ部１６０の全体が、本体部１５０に対して着脱可能に装着されている。
天面部１７２は、筒状部１７１の上端開口における周縁部を塞いでいる。天面部１７２の中央には開口が形成されており、天面部１７２において当該開口に面する内周面には、内方に向けて突出する環状の固定突起１７３が形成されている。
排出操作部材１８０は、合成ゴム等の弾性変形可能な材料により構成されており、消費者による押圧操作を排出操作として受け付ける。排出操作部材１８０は、当該排出操作部材１８０の周縁部を構成する固定部１８１と、当該排出操作部材１８０における固定部１８１よりも内側の部分を構成する押圧操作部１８２と、押圧操作部１８２が押圧操作されることにより移動する押圧突起１８３と、を備えている。
排出操作部材１８０は、固定部１８１が固定突起１７３と嵌合することにより、天面部１７２に対して固定され、天面部１７２の開口を気密に閉塞している。
固定部１８１は、例えば、ドーナツ状の平板形状に形成されており、押圧操作部１８２は、上方に向けて凸の凸曲面状（ドーム状）に固定部１８１よりも隆起している。
押圧突起１８３は、押圧操作部１８２の下面から下方に垂下するように設けられた突起である。押圧突起１８３は、押圧操作部１８２の周縁部に配設されていることが好ましい。
排出管１９０は、筒状部１７１の内外を貫通して設けられることにより、貯留領域１０１と塩分含有調味液用容器１００の外部空間とを相互に連通させている。
【００７７】
推奨報知装置２１０は、消費目標量の塩分含有調味液４０を複数回に分けて消費し切ることを塩分含有調味液４０の消費量に応じて推奨するものである。
推奨報知装置２１０は、例えば、図１０に示すように、キャップ本体１７０に対して固定されている取付ベース部２１１と、取付ベース部２１１に対して固定されている電子基板２１２と、電子基板２１２上にそれぞれ固定されている排出操作検出センサ２１３、推奨発光部２１４及びリセット操作検出センサ２１５と、を備えている。
排出操作検出センサ２１３、推奨発光部２１４及びリセット操作検出センサ２１５は、例えば、それぞれ取付ベース部２１１に形成された開口を介して上方に露出している。
排出操作検出センサ２１３は、押圧突起１８３と対向する位置に配置されている。排出操作検出センサ２１３が押圧操作されることにより、押圧突起１８３が排出操作検出センサ２１３を押圧し、この押圧を排出操作検出センサ２１３が検出し、排出操作検出信号を電子基板２１２に設けられた図示しない制御回路に出力するようになっている。
この制御回路は、排出操作検出センサ２１３から排出操作検出信号が入力された回数に応じて、推奨発光部２１４の発光動作を制御する発光制御信号と、後述する推奨発音部２４０の発音動作を制御する発音制御信号と、を出力する。
推奨発光部２１４は、天面部１７２と対向する位置に配置されている。キャップ本体１７０は、少なくとも天面部１７２において推奨発光部２１４と対向する部分が、可視光透過性の材料により構成されている。例えば、キャップ本体１７０は、その全体が、可視光透過性の樹脂材料により一体形成されている。このため、塩分含有調味液用容器１００の外部から、天面部１７２を通して、推奨発光部２１４の発光動作を視認することができるようになっている。
推奨発光部２１４は、例えば、ＬＥＤ（Ｌｉｇｈｔ  Ｅｍｉｔｔｉｎｇ  Ｄｉｏｄｅ）などの発光部材により構成され、制御回路から送られる発光制御信号に応じた発光態様で発光する。
【００７８】
リセット操作検出センサ２１５は、以下に説明するリセットボタン２２０と対向する位置に配置されている。
リセットボタン２２０は、例えば、消費者に押圧操作される天面部２２１と、天面部２２１の周縁部から垂下する筒形状の筒状部２２２と、筒状部２２２の下端部から外周囲に向けて外フランジ形状に突出形成された係止部２２３と、天面部２２１の中央から垂下する棒状の押圧突起部２２４と、を備えている。押圧突起部２２４は、筒状部２２２の下端及び係止部２２３の下端よりも下方に突出している。
キャップ本体１７０には、当該キャップ本体１７０を貫通するリセットボタン配設孔１７４が形成されている。例えば、リセットボタン配設孔１７４は、天面部１７２に形成され、天面部１７２を貫通している。
リセットボタン配設孔１７４は、上部と、中間部と、下部を構成する通過孔部１７７と、を含んで構成されている。リセットボタン配設孔１７４の上部の内径よりも中間部の内径が大きく設定されており、リセットボタン配設孔１７４の上部と中間部との境界には、下向きの段差面１７５が形成されている。
リセットボタン配設孔１７４の上部には、例えば、リセットボタン２２０の筒状部２２２及び天面部２２１が挿通されており、リセットボタン配設孔１７４の中間部には筒状部２２２の下端部及び係止部２２３が配設されている。なお、係止部２２３の外径は、リセットボタン配設孔１７４の上部の内径よりも大きい。
リセットボタン配設孔１７４の中間部の下端位置は、天面部１７２の孔底部１７６により画定されており、通過孔部１７７は、孔底部１７６を上下に貫通している。
通過孔部１７７の内径は、押圧突起部２２４の外径よりも大きい。押圧突起部２２４は通過孔部１７７に挿通されている。押圧突起部２２４は、通常時には、リセット操作検出センサ２１５よりも上方に位置している。
バネ２３０は、例えば、圧縮型のコイルスプリングであり、孔底部１７６の上面と天面部２２１の下面との間において圧縮状態で挟持されている。このため、通常時には、リセットボタン２２０は、バネ２３０によって上方に付勢されており、係止部２２３が段差面１７５に対して押しつけられた状態で静止している。一方、リセットボタン２２０が押圧操作されたときには、リセットボタン２２０は、バネ２３０の付勢に抗して下方に移動する。リセットボタン２２０が下方に移動することにより、押圧突起部２２４が下方に移動してリセット操作検出センサ２１５を押圧する。リセット操作検出センサ２１５は、この押圧を検出すると上記制御回路にリセット検出信号を出力するようになっている。制御回路は、リセット検出信号が入力されると、内部的に計数していた排出操作回数を初期化して「０」にする。
なお、推奨報知装置２１０は、リセットボタン配設孔１７４と貯留領域１０１との間での空気の流通を遮断できるように、筒状部１７１の内周面及び天面部１７２の下面に対してそれぞれ気密に密着固定されている。
【００７９】
塩分含有調味液用容器１００は、更に、推奨発音部２４０と、制御回路と推奨発音部２４０とを相互に電気的に接続している配線部２４１と、を備えている。
推奨発音部２４０は、例えば、圧電式又は動電式のスピーカにより構成され、制御回路から送られる発音制御信号に応じた発音態様で発音する。
【００８０】
本実施形態の場合、塩分含有調味液用容器１００からの塩分含有調味液４０の排出操作は、図１１に示すように排出管１９０の外側開口を下向きになるように塩分含有調味液用容器１００を傾けた状態で、押圧操作部１８２を押圧操作（押し込み操作）することによって行うことができる。このような排出操作により、押圧操作部１８２が弾性変形する量に応じた実質的に一定量の塩分含有調味液４０が、貯留領域１０１から排出管１９０を通して塩分含有調味液用容器１００の外部に排出（注出）される。
【００８１】
制御回路は、１回の排出操作により塩分含有調味液用容器１００から排出される塩分含有調味液４０の量（以下、単位排出量）と、１日あたりの消費目標量と、上記第１液量と、上記第２液量と、上記第３液量と、予め記憶保持しているものとする。
そして、１日の中で消費者によって行われる排出操作の回数に応じて、推奨発光部２１４及び推奨発音部２４０に対してそれぞれ発光制御信号及び発音制御信号を出力する。
例えば、制御回路は、排出操作の回数と単位排出量とに基づいて、１日の中での塩分含有調味液４０の消費量が第２液量に近づいていることを認識した場合（例えば、あと１回の排出操作によって第２液量に到達する場合など）には、「もう少しで朝食分達成です」との音声を推奨発音部２４０から出力させるとともに、推奨発音部２４０を発光させる。更に、１日の中での塩分含有調味液４０の消費量が第２液量に到達した場合には、「朝食分達成です」との音声を推奨発音部２４０から出力させるとともに、推奨発光部２１４を発光させる。
また、制御回路は、排出操作の回数と単位排出量とに基づいて、１日の中での塩分含有調味液４０の消費量が第２液量と第３液量との合計量に近づいていることを認識した場合（例えば、あと１回の排出操作によって第２液量と第３液量との合計量に到達する場合など）には、「もう少しで昼食分達成です」との音声を推奨発音部２４０から出力させるとともに、推奨発音部２４０を発光させる。更に、１日の中での塩分含有調味液４０の消費量が第２液量と第３液量との合計量に到達した場合には、「昼食分達成です」との音声を推奨発音部２４０から出力させるとともに、推奨発光部２１４を発光させる。
また、制御回路は、排出操作の回数と単位排出量とに基づいて、１日の中での塩分含有調味液４０の消費量が消費目標量に近づいていることを認識した場合（例えば、あと１回の排出操作によって消費目標量に到達する場合など）には、「もう少しで１日分達成です」との音声を推奨発音部２４０から出力させるとともに、推奨発音部２４０を発光させる。更に、１日の中での塩分含有調味液４０の消費量が消費目標量に到達した場合には、「１日分達成です。明日もこの調子でいきましょう」との音声を推奨発音部２４０から出力させるとともに、推奨発光部２１４を発光させる。
このように、推奨報知装置２１０は、押圧操作部１８２が所定回数の操作を受け付けた場合（例えば、あと１回の排出操作によって第２液量に到達する場合、消費量が第２液量に到達した場合、あと１回の排出操作によって第２液量と第３液量との合計量に到達する場合、消費量が第２液量と第３液量との合計量に到達した場合、あと１回の排出操作によって消費目標量に到達する場合、消費量が消費目標量に到達した場合など）に、貯留部からの塩分含有調味液４０の排出量を報知する。
よって、消費者が、朝食分、昼食分、及び一日分（消費目標量）の塩分含有調味液４０を消費する毎に、その旨を示す報知がなされるため、消費者は、一日分の消費目標量の塩分含有調味液４０を複数回（例えば朝、昼、夜の３回）に分けて消費し切ることを容易に達成できる。
【００８２】
なお、朝食分、昼食分、及び一日分（消費目標量）の塩分含有調味液４０を消費する毎に、推奨発音部２４０からの報知音の出力又は推奨発光部２１４からの発光出力がなされることが、予め塩分含有調味液用容器１００の取扱説明書などから消費者が知っていれば、報知音又は発光がそれ自体では意味を持たないものであっても、消費者は、朝食分、昼食分、及び一日分の塩分含有調味液４０を消費した旨を認識することができる。
【００８３】
なお、１日における塩分含有調味液４０の消費の終了後、或いは、１日における塩分含有調味液４０の開始前に、リセットボタン２２０を押圧操作することにより、制御回路は、内部的に計数していた排出操作回数を初期化して「０」にする。
【００８４】
塩分含有調味液用容器１００内の塩分含有調味液４０が空になった場合は、塩分含有調味液４０を詰め替えて、引き続き塩分含有調味液用容器１００を使用することができる。すなわち、キャップ本体１７０を本体部１５０から取り外した状態で、新たに塩分含有調味液４０を貯留領域１０１に充填し、再びキャップ本体１７０を本体部１５０に装着することにより、塩分含有調味液用容器１００を引き続き使用可能である。
【００８５】
本実施形態によっても、消費者は、所定期間あたりの消費目標量の塩分含有調味液４０を複数回に分けて消費し切ることを容易に達成できる。
【００８６】
なお、上記の第３の実施形態は一例であり、消費推奨部は、消費目標量の塩分含有調味液４０を複数回に分けて消費し切ることを推奨するものであれば良く、例えば、本体部１５０又はキャップ部１６０の外面などに印刷形成又はラベルなどにより設けられた文字、図形、模様又は記号であっても良い。
また、上記の第３の実施形態では、排出操作により塩分含有調味液４０の液滴が排出される例を説明したが、塩分含有調味液用容器１００は、１回の排出操作毎に予め定められた量ずつ（例えば一定量ずつ）塩分含有調味液４０を霧状に排出するスプレー式のものであっても良い。
【００８７】
以上、図面を参照して各実施形態を説明したが、これらは本発明の例示であり、上記以外の様々な構成を採用することもできる。
【００８８】
例えば、第３の実施形態では、塩分含有調味液用容器１００が電気式のカウント機能を備えている例を説明したが、機械式のカウント機能を備えていても良い。例えば、塩分含有調味液用容器１００は、押圧操作に連動して回転するダイアル部を備え、このダイアル部の周縁部には排出操作の回数を示す数字が並んで記載されており、これら数字のうちいずれか１つが塩分含有調味液用容器１００の外部から視認可能となっている構成とすることができる。この場合、リセット操作によりダイアル部の回転位相が初期化される。
【００８９】
本発明は上述の実施形態に限定されるものではなく、本発明の目的が達成される限りにおける種々の変形、改良等の態様も含む。各実施形態において説明された事項は適宜、他の実施形態に適用することが可能である。
【００９０】
本実施形態は以下の技術思想を包含する。
上記実施形態は、以下の技術思想を包含するものである。
＜１＞保健機能食品である塩分含有調味液用の容器であって、前記塩分含有調味液を貯留する貯留部と、所定期間あたりの消費目標量の前記塩分含有調味液を計量可能な計量部と、前記消費目標量の前記塩分含有調味液を複数回に分けて消費し切ることを推奨する消費推奨部と、を備える塩分含有調味液用容器。
＜２＞前記消費推奨部は、前記所定期間中における前記塩分含有調味液の消費の進行に伴い段階的に変化する報知を行う＜１＞に記載の塩分含有調味液用容器。
＜３＞前記貯留部は、外層と、前記外層から剥離可能に前記外層の内側に積層されて前記塩分含有調味液を収容する内層と、を備える積層ボトルにより構成されている＜１＞又は＜２＞に記載の塩分含有調味液用容器。
＜４＞前記消費推奨部は、前記消費目標量の前記塩分含有調味液を複数回に分けて消費し切ることを推奨するメッセージ、図形又は記号を含む表示部を有する＜１＞から＜３＞のいずれか一項に記載の塩分含有調味液用容器。
＜５＞前記貯留部から排出された前記塩分含有調味液を貯留するとともに前記計量部を兼ねる第２貯留部を更に備え、前記消費推奨部は、前記第２貯留部にて計量された前記消費目標量の前記塩分含有調味液を複数回に分けて消費し切ることを推奨する＜１＞から＜４＞のいずれか一項に記載の塩分含有調味液用容器。
＜６＞前記消費推奨部は、前記第２貯留部に形成された発現表示部を有し、前記塩分含有調味液の内容量が第１量のときには前記塩分含有調味液の液面が前記発現表示部よりも上に位置し、前記内容量が前記第１量よりも少ない第２量となることにより、前記液面が前記発現表示部の少なくとも一部よりも下の位置となって、前記内容量が前記第１量のときよりも前記発現表示部を視認しやすくなる＜５＞に記載の塩分含有調味液用容器。
＜７＞予め定められた量の前記塩分含有調味液を操作に応じて前記貯留部から排出させる操作部を備え、前記消費推奨部は、前記計量部の機能を担っており、前記操作部が所定回数の操作を受け付けた場合に、前記貯留部からの前記塩分含有調味液の排出量を報知する＜１＞から＜４＞のいずれか一項に記載の塩分含有調味液用容器。
＜８＞＜１＞から＜７＞のいずれか一項に記載の塩分含有調味液用容器と、前記貯留部に充填された前記塩分含有調味液と、を備える容器詰め調味液。
【符号の説明】
【００９１】
１０  第１貯留部
１０ａ  第１貯留領域
１１  胴体部
１２  肩部
１２ａ  下肩部
１２ｂ  上肩部
１３  底部
１４  係合突起部
１５  口頸部
２０  第２貯留部
２０ａ  第２貯留領域
３０  排出管
３０ａ  上端面
３１  第１部分
３２  第２部分
４０  塩分含有調味液
６０  積層体
６１  外層
６２  内層
６３  層間の空隙
６４  ピンチオフ部
７０  キャップ部
７１  本体部
７２  小径部
７３  係合爪部
８１  弁体保持部材
８２  吐出弁
８３  吸入弁
８４  吐出口部材
８５  空気流入孔
８６  空気流入孔
８７  ひさし部
１００  塩分含有調味液用容器（容器）
１０１  貯留領域
１２０  本体部
１２１  筒状部
１２２  底部
１２３  係合突起部
１２４  注出口部
１２５  突出部
１３０  蓋部
１３１  盤状部
１３２  係合突起部
１４０  ヒンジ部
１５０  本体部
１５１  胴体部
１５２  底部
１５３  キャップ装着部
１６０  キャップ部
１７０  キャップ本体
１７１  筒状部
１７２  天面部
１７３  固定突起
１７４  リセットボタン配設孔
１７５  段差面
１７６  孔底部
１７７  通過孔部
１８０  排出操作部材
１８１  固定部
１８２  押圧操作部（操作部）
１８３  押圧突起
１９０  排出管
２１０  推奨報知装置（消費推奨部）
２１１  取付ベース部
２１２  電子基板
２１３  排出操作検出センサ
２１４  推奨発光部
２１５  リセット操作検出センサ
２２０  リセットボタン
２２１  天面部
２２２  筒状部
２２３  係止部
２２４  押圧突起部
２３０  バネ
２４０  推奨発音部
２４１  配線部
２５１、２５２、２５３  目盛り
２６１  計量用表示
２６２、２６３、２６４、２６５  推奨表示
２７１、２８０  表示
２８１、２８２、２８３、２８４、２８５  目盛り
２９１、２９２、２９３、２９４、２９５、２９６  表示
【図１】
2019111454.tif 000003
【図２】
2019111454.tif 000004
【図３】
2019111454.tif 000005
【図４】
2019111454.tif 000006
【図５】
2019111454.tif 000007
【図６】
2019111454.tif 000008
【図７】
2019111454.tif 000009
【図８】
2019111454.tif 000010
【図９】
2019111454.tif 000011
【図１０】
2019111454.tif 000012
【図１１】
2019111454.tif 000013
【手続補正書】
【提出日】令和1年5月17日(2019.5.17)
【手続補正１】
【補正対象書類名】特許請求の範囲
【補正対象項目名】全文
【補正方法】変更
【補正の内容】
【特許請求の範囲】
【請求項１】
保健機能食品である液用の容器であって、
前記液を貯留する貯留部と、
所定期間あたりの消費目標量の前記液を計量可能な計量部と、
前記消費目標量の前記液を複数回に分けて消費し切ることを推奨する消費推奨部と、
前記貯留部から排出された前記液を貯留するとともに前記計量部を兼ねる第２貯留部と、
を備え、
前記第２貯留部は、第２貯留領域を形成する本体部と、ヒンジ部を介して前記本体部に連結されていて前記本体部の上端開口を閉じることが可能な蓋部と、を備えている液用容器。
【請求項２】
前記貯留部は、外層と、前記外層から剥離可能に前記外層の内側に積層されて前記液を収容する内層と、を備える積層ボトルにより構成されている請求項１に記載の液用容器。
【請求項３】
前記貯留部は、吐出口を有する吐出口部材を備え、
前記吐出口部材は、前記吐出口の外周囲に向けて拡がったひさし部を備え、
当該液用容器は、前記外層と前記本体部との間隙に空気を流入させるための第１空気流入孔を前記貯留部の上端部に有するとともに、前記外層と前記内層との空隙に前記空気を流入させるための第２空気流入孔を有し、
前記ひさし部が前記第１空気流入孔の上方を覆っている請求項２に記載の液用容器。
【請求項４】
前記消費推奨部は、前記消費目標量の前記液を複数回に分けて消費し切ることを推奨する文字、図形、模様又は記号を含む表示部を有する請求項１から３のいずれか一項に記載の液用容器。
【請求項５】
前記消費推奨部は、前記第２貯留部にて計量された前記消費目標量の前記液を複数回に分けて消費し切ることを推奨する請求項１から４のいずれか一項に記載の液用容器。
【請求項６】
前記貯留部は、上方に向けて開口している吐出口を有し、
前記蓋部によって前記本体部の前記上端開口を閉じた状態では、前記蓋部が前記吐出口と対向する請求項１から５のいずれか一項に記載の液用容器。